(57)【要約】【課題】手すり部分の水平長さを容易に変えることができる水平伸縮省スペース化ベッドガードを提供する。【解決手段】水平伸縮省スペース化ベッドガードは、第１のバーセット１及び第２のバーセット２を備える。第１のバーセット１は、第１の接続関節１１、下横向外管１２、直立外管１３及び上横向外管１４から構成される。第１の接続関節１１には、前方に第１のグランドバー１１１が枢着され、一側に下横向外管１２が枢着され、上方に直立外管１３が枢着される。下横向外管１２は、所定長さを有する中空状管体である。下横向外管１２の末端部に隣接した箇所には下外孔１２１が形成される。直立外管１３は所定長さを有する。直立外管１３の上方末端部には側方へ向けて曲がった上横向外管１４が延設される。上横向外管１４は所定長さを有する。直立外管１３及び上横向外管１４は中空状管体である。【選択図】図１
0003189313.tif 000002
【実用新案登録請求の範囲】
【請求項１】
第１のバーセット及び第２のバーセットを備えた水平伸縮省スペース化ベッドガードであって、
前記第１のバーセットは、第１の接続関節、下横向外管、直立外管及び上横向外管から構成され、前記第１の接続関節には、前方に第１のグランドバーが枢着され、一側に前記下横向外管が枢着され、上方に前記直立外管が枢着され、前記下横向外管は、所定長さを有する中空状管体であり、前記下横向外管の末端部に隣接した箇所には下外孔が形成され、前記直立外管は、所定長さを有し、前記直立外管の上方末端部には、側方へ向けて曲がった前記上横向外管が延設され、前記上横向外管は、所定長さを有し、前記直立外管及び前記上横向外管は、中空状管体であり、前記下横向外管と前記上横向外管とは、互いに平行に設置される上、長さが同じであり、前記上横向外管の末端部に隣接した箇所には、上外孔が形成され、
前記第２のバーセットは、第２の接続関節、下横向内管、下フック片、直立内管、上横向内管及び上フック片から構成され、前記第２の接続関節には、前方に第２のグランドバーが枢着され、一側に前記下横向内管が枢着され、上方に前記直立内管が枢着され、前記下横向内管は、所定長さを有する中空状管体であり、前記下横向内管の末端部に隣接した箇所には、下内孔が形成され、前記下横向内管の末端内側には、前記下フック片が配設され、前記下フック片には、下凸柱が突設され、前記下凸柱は、下内孔を介して前記下横向内管の内側から外側へ突出され、前記直立内管は、所定の高さを有し、上部末端が側方へ曲げられて前記上横向内管が延設され、前記上横向内管は、所定長さを有し、前記直立内管及び前記上横向内管は中空状管体であり、前記下横向内管と前記上横向内管とは、互いに平行に設置される上、同じ長さを有し、前記上横向内管の末端部に隣接した箇所に上内孔が形成され、前記上フック片は、前記上横向内管の末端内側に配設され、前記上フック片には、上凸柱が突設され、前記上凸柱は、前記上内孔を介して前記上横向内管の内側から外側へ突出され、
前記第２のバーセットの前記下横向内管及び前記上横向内管は、前記第１のバーセットの前記下横向外管及び前記上横向外管中に挿設されることを特徴とする水平伸縮省スペース化ベッドガード。
【請求項２】
前記下横向外管の末端部には、環状下外カバーが嵌合され、
前記上横向外管の末端部には、環状上外カバーが嵌合されることを特徴とする請求項１に記載の水平伸縮省スペース化ベッドガード。
【請求項３】
前記第２のバーセットの前記下フック片及び前記上フック片はＶ字状弾片であることを特徴とする請求項１に記載の水平伸縮省スペース化ベッドガード。
【請求項４】
前記ベッドガードを展開する際、前記下フック片の前記下凸柱が前記下内孔及び前記下外孔を介して前記下横向内管の内側から外側へ突出され、前記上フック片の前記上凸柱が前記上内孔及び前記上外孔を介して前記上横向内管の内側から外側へ突出されることを特徴とする請求項１に記載の水平伸縮省スペース化ベッドガード。
【考案の詳細な説明】
【技術分野】
【０００１】
本考案は、水平伸縮省スペース化ベッドガードに関し、特に、ベッド縁に結合させてベッドから人が転落することを防ぐ水平伸縮省スペース化ベッドガードに関する。
【背景技術】
【０００２】
従来、ベッド縁に使用するベッドガードとしては、一般にベッドフレームへ固定的に結合された金属又はプラスチック製の手すりが使用される。しかしこのような従来の手すりは、落下防止効果を備えるが、調整したり移動したりすることができないため使用が不便であるという短所を有する。
【考案の概要】
【考案が解決しようとする課題】
【０００３】
本考案の目的は、手すり部分の水平長さを容易に変えることができる水平伸縮省スペース化ベッドガードを提供することにある。
【図面の簡単な説明】
【０００４】
【図１】本考案の一実施形態に係る水平伸縮省スペース化ベッドガードを示す分解斜視図である。
【図２】本考案の一実施形態に係る水平伸縮省スペース化ベッドガードを示す斜視図である。
【図３】本考案の一実施形態に係る水平伸縮省スペース化ベッドガードを展開したときの状態を示す平面図である。
【図４】本考案の一実施形態に係る水平伸縮省スペース化ベッドガードの上・下フック片を上・下外孔から露出させた状態を示す模式図である。
【図５】本考案の一実施形態に係る水平伸縮省スペース化ベッドガードが収納された状態を示す模式図である。
【図６】本考案の一実施形態に係る水平伸縮省スペース化ベッドガードの上・下フック片を押圧したときの状態を示す模式図である。
【図７】本考案の一実施形態に係る水平伸縮省スペース化ベッドガードの上・下横向き内管を押し動かすときの状態を示す模式図である。
【図８】本考案の他の実施形態に係る水平伸縮省スペース化ベッドガードを示す分解斜視図である。
【考案を実施するための形態】
【０００５】
以下、本考案の実施形態について図に基づいて説明する。なお、これによって本考案が限定されるものではない。
【０００６】
図１を参照する。図１に示すように、本考案の一実施形態に係る水平伸縮省スペース化ベッドガードは、互いに組み合わせる第１のバーセット１及び第２のバーセット２を含む。
【０００７】
第１のバーセット１は、第１の接続関節１１、下横向外管１２、直立外管１３及び上横向外管１４を含む。第１の接続関節１１には、前方に第１のグランドバー１１１が枢着され、一側に下横向外管１２が枢着され、上方に直立外管１３が枢着される。下横向外管１２は、所定長さを有する中空状管体であり、下横向外管１２の末端部に隣接した箇所には下外孔１２１が形成され、下横向外管１２の末端部には、環状下外カバー１２２が嵌合される。直立外管１３は、所定長さを有し、直立外管１３の上方末端部には、側方へ向けて曲がった上横向外管１４が延設されている。上横向外管１４は、所定長さを有する。直立外管１３及び上横向外管１４は、中空状管体であり、下横向外管１２と上横向外管１４とは、互いに平行に設置されて同じ長さを有し、上横向外管１４の末端部に隣接した箇所には、上外孔１４１が形成され、上横向外管１４の末端部には、環状上外カバー１４２が嵌合される。
【０００８】
第２のバーセット２は、第２の接続関節２１、下横向内管２２、下フック片２３、直立内管２４、上横向内管２５及び上フック片２６を含む。第２の接続関節２１は、前方に第２のグランドバー２１１が枢着され、一側に下横向内管２２が枢着され、上方に直立内管２４が枢着されている。下横向内管２２は、所定長さを有する中空状管体であり、下横向内管２２の末端部に隣接した箇所には、下内孔２２１が形成され、下横向内管２２の末端内側には、下フック片２３が配設されている。下フック片２３は、Ｖ字状弾片であり、下フック片２３には、下凸柱２３１が突設されている。下凸柱２３１は、下内孔２２１を介して下横向内管２２の外側へ突出されている。直立内管２４は、所定の高さを有し、上部末端が側方へ曲げられて上横向内管２５が延設されている。上横向内管２５は、所定長さを有してもよい。直立内管２４及び上横向内管２５は中空状管体である。下横向内管２２と上横向内管２５とは、互いに平行に設置される上、同じ長さを有し、上横向内管２５の末端部に隣接した箇所に上内孔２５１が形成されている。上フック片２６は、上横向内管２５の末端内側に配設される。上フック片２６は、Ｖ字状弾片であり、上凸柱２６１が突設されている。上凸柱２６１は、上内孔２５１を介して上フック片２６が外側へ突出されている。
【０００９】
図２を併せて参照する。第２のバーセット２の下横向内管２２及び上横向内管２５は、第１のバーセット１の下横向外管１２及び上横向外管１４中へそれぞれ挿設され、ベッドガードを展開する際、下フック片２３の下凸柱２３１が下内孔２２１及び下外孔１２１を介して下横向内管２２の外側へ突出され、上フック片２６の上凸柱２６１が上内孔２５１及び上外孔１４１を介して外側へ突出されている。
【００１０】
図２及び図３を参照する。図２及び図３に示すように、本考案の一実施形態に係る水平伸縮省スペース化ベッドガードを実際に使用する際、第１のバーセット１の第１のグランドバー１１１及び第２のバーセット２の第２のグランドバー２１１のそれぞれをベッド縁部からマットレス底部へ設置する。下横向外管１２、直立外管１３、上横向外管１４、下横向内管２２、直立内管２４、上横向内管２５上には網布（図３参照）が設置され、ベッド縁から人が転落することを防ぐ。
【００１１】
本考案の一実施形態に係る水平伸縮省スペース化ベッドガードは、展開又は収納の２種類の状態を有する。図３及び図４は、水平伸縮省スペース化ベッドガードの展開状態を示し、この状態下で第２のバーセット２の下横向内管２２及び上横向内管２５は、第１のバーセット１の下横向外管１２及び上横向外管１４の内側へそれぞれ配設され、下フック片２３の下凸柱２３１は、下内孔２２１及び下外孔１２１を介して下横向内管２２の外側へ突出されている。上フック片２６の上凸柱２６１は、上内孔２５１及び上外孔１４１を介して上横向内管２５の外側へ突出され、下横向内管２２及び下横向外管１２、上横向内管２５及び上横向外管１４の接続長さを最長に維持して展開させる。図５に示すように、収納する場合、第２のバーセット２の下横向内管２２及び上横向内管２５を第１のバーセット１の下横向外管１２及び上横向外管１４の最内側へ挿設し、下横向内管２２及び下横向外管１２、上横向内管２５及び上横向外管１４間で接続長さを短くして収納状態（図６及び図７参照）にするが、展開状態から収納状態にする操作では、外方へ突出された下凸柱２３１及び上凸柱２６１をそれぞれ内方へ押圧して下凸柱２３１を下外孔１２１から外すとともに上凸柱２６１を上外孔１４１から外し、下横向内管２２及び上横向内管２５のそれぞれを下横向外管１２及び上横向外管１４の最内側へ向けて押し動かして移動させる。
【００１２】
図８を参照する。図８に示すように、本考案の他の実施形態に係る水平伸縮省スペース化ベッドガードの第１のバーセット１の下横向外管１２上には、水平に配列した多数の下外孔１２１が形成される。第１のバーセット１の上横向外管１４上には、水平に配列した多数の上外孔１４１が形成される。第２のバーセット２の下フック片２３の下凸柱２３１は、各下外孔１２１を介して外側へ突出される。上フック片２６の上凸柱２６１は、各上外孔１４１を介して外側へ突出され、ベッドガードを多段式に展開させることができるため、ベッドガードは、長さが異なるベッドに応じて使用することができる。
【００１３】
上述したことから分かるように、本考案の水平伸縮省スペース化ベッドガードは、上・下横向外管と上・下横向内管との組み合わせにより、使用する際に展開したり、収納する際に畳んだりすることが容易にでき、ベッドガードの水平長さを容易に調整することができるとともに、水平長さを調整することにより、様々な長さを有するベッドに応じてベッドガードを使用することもできるため、産業上の利用価値が高い。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１    第１のバーセット
２    第２のバーセット
１１  第１の接続関節
１２  下横向外管
１３  直立外管
１４  上横向外管
２１  第２の接続関節
２２  下横向内管
２３  下フック片
２４  直立内管
２５  上横向内管
２６  上フック片
１１１  第１のグランドバー
１２１  下外孔
１２２  下外カバー
１４１  上外孔
１４２  上外カバー
２１１  第２のグランドバー
２２１  下内孔
２３１  下凸柱
２５１  上内孔
２６１  上凸柱
【図１】
0003189313.tif 000003
【図２】
0003189313.tif 000004
【図３】
0003189313.tif 000005
【図４】
0003189313.tif 000006
【図５】
0003189313.tif 000007
【図６】
0003189313.tif 000008
【図７】
0003189313.tif 000009
【図８】
0003189313.tif 000010